(57)【要約】【課題】  薄型で軽量であるという液晶ディスプレイ装置のもつ特性を充分に生かして、表示装置を含めたデスクトップ型コンピュータシステム全体を薄型・コンパクトで、使い勝手のよいものとして提供すること。【解決手段】  その前面に液晶ディスプレイ装置をもつ本体部と、この本体部を支持するスタンド部とを備えたデスクトップ型コンピュータにおいて、前記本体部は、前記液晶ディスプレイ装置の下側の前面部の位置に水平方向にディスクを出し入れするディスク出入口を備えたディスクドライブ装置を内蔵するとともに、前記ディスクドライブ装置の上方の位置であって、前記液晶ディスプレイ装置の後方の位置に平行かつ近接して配置されるシャーシーと、このシャーシーの後方に平行かつ近接して配置されるメイン基板とを内蔵しており、前記スタンド部は、前後方向の首振り動作が可能となるように前記本体部を支持する、構成をとる。【選択図】      図２０
2006012187.tif 000002
【特許請求の範囲】
【請求項１】
その前面に液晶ディスプレイ装置をもつ本体部と、この本体部を支持するスタンド部とを備えたデスクトップ型コンピュータであって、
前記本体部は、前記液晶ディスプレイ装置の下側の前面部の位置に水平方向にディスクを出し入れするディスク出入口を備えたディスクドライブ装置を内蔵するとともに、
前記ディスクドライブ装置の上方の位置であって、前記液晶ディスプレイ装置の後方の位置に平行かつ近接して配置されるシャーシーと、このシャーシーの後方に平行かつ近接して配置されるメイン基板とを内蔵しており、
前記スタンド部は、前後方向の首振り動作が可能となるように前記本体部を支持することを特徴とするデスクトップ型コンピュータ。
【請求項２】
請求項１に記載のデスクトップ型コンピュータにおいて、
前記ディスク出入口の左右に、スピーカを配置したことを特徴とするデスクトップ型コンピュータ。
【請求項３】
請求項１または２に記載のデスクトップ型コンピュータにおいて、
前記本体部の外筐体の側面に、外部機器と接続するためのコネクタ部と、拡張ボードを接続するための拡張ボードスロット部を覆う開閉自在なカバーとを備えたことを特徴とするデスクトップ型コンピュータ。
【請求項４】
請求項１乃至３の何れか１項に記載のデスクトップ型コンピュータにおいて、
前記本体部は、前記ディスクドライブ装置の上方の位置に、ハードディスクドライブと、電源部を内蔵したことを特徴とするデスクトップ型コンピュータ。
【発明の詳細な説明】
【技術分野】
【０００１】
本発明は、デスクトップ型コンピュータに係り、特に、液晶ディスプレイ装置を表示装置として具備したデスクトップ型コンピュータに関する。
【背景技術】
【０００２】
液晶ディスプレイ装置は、ＣＲＴディスプレイ装置に較べて薄型で軽量であるので、ブック型パソコン，携帯端末等のポータブル型コンピュータに搭載されて、広く普及しているが、これらのポータブル型コンピュータに搭載されている液晶ディスプレイ装置は、比較的に小画面のものである。
【０００３】
ところで、近時の製造技術の進歩によって、比較的に大画面の液晶ディスプレイ装置が普及し始めており、デスクトップ型コンピュータにおいてもその採用が一部で開始されているが、これは従前のＣＲＴディスプレイ装置と同様に、液晶ディスプレイ装置を装置本体から分離して、液晶ディスプレイ装置を単体で製品化したものである。
【発明の開示】
【発明が解決しようとする課題】
【０００４】
上記したように、液晶ディスプレイ装置を装置本体から分離して用いると、液晶ディスプレイ装置と装置本体とを別個の場所に設置できるという利点がある反面、表示装置を含めたデスクトップ型コンピュータシステム全体で見ると、スペース効率が悪いという問題がある。
【０００５】
本発明は上記の点に鑑みなされたもので、その目的とするところは、薄型で軽量であるという液晶ディスプレイ装置のもつ特性を充分に活かして、表示装置を含めたデスクトップ型コンピュータシステム全体をコンパクトなものにしてスペース効率を高め、また、使い勝手のよいものとして提供することにある。
【課題を解決するための手段】
【０００６】
本発明は上記した目的を達成するため、その前面に液晶ディスプレイ装置をもつ本体部と、この本体部を支持するスタンド部とを備えたデスクトップ型コンピュータにおいて、
前記本体部は、前記液晶ディスプレイ装置の下側の前面部の位置に水平方向にディスクを出し入れするディスク出入口を備えたディスクドライブ装置を内蔵するとともに、
前記ディスクドライブ装置の上方の位置であって、前記液晶ディスプレイ装置の後方の位置に平行かつ近接して配置されるシャーシーと、このシャーシーの後方に平行かつ近接して配置されるメイン基板とを内蔵しており、
前記スタンド部は、前後方向の首振り動作が可能となるように前記本体部を支持する、構成をとる。
【発明の効果】
【０００７】
本発明によれば、薄型で軽量であるという液晶ディスプレイ装置のもつ特性を充分に活かして、表示装置を含めたデスクトップ型コンピュータシステム全体を薄型・コンパクトで、設置スペース性のよいものとして、かつ、使い勝手のよいものとして実現することができ、その価値は多大である。
【発明を実施するための最良の形態】
【０００８】
以下、本発明の実施の形態を、図面を用いて説明する。
【０００９】
図１〜図１８は本発明の第１実施形態のデスクトップ型コンピュータに係り、図１は本実施形態のデスクトップ型コンピュータの正面側（前面側）から見た斜視図、図２は本実施形態のデスクトップ型コンピュータの裏面側から見た斜視図である。
【００１０】
図１，図２において、１は本体部、２は本体部１を支持するスタンド部であり、３は本体部１の外筐体をなすケーシングである。
【００１１】
図１に示すように、本体部１の前面側には液晶ディスプレイ装置４が配設されており、液晶ディスプレイ装置４の上側中央にはマイク５が配設されている。また、液晶ディスプレイ装置４の下側中央には、本体部１内に内蔵されたフロッピーディスクドライブのディスク出し入れ口６が水平方向に配設されており、このディスク出し入れ口６の下側には、本体部１内に内蔵されたＣＤ−ＲＯＭドライブのディスク出し入れ口７が水平方向に配設されている。また、このディスク出し入れ口７の下側（ケーシング３の前部最下端の中央）には、ワイヤーレスで外部機器と情報の授受を行ったり、本コンピュータに命令を入力したりするための、赤外光通信授受部８が設けられており、本コンピュータはキーボードやマウスを接続しないでも、操作可能とされている。なお、この赤外線通信光授受部８は、受信専用の赤外光受信部としてもよい。また、上記２つのディスク出し入れ口６，７の左右には、スピーカ９，９が配設されていて、ステレオ音声出力が可能とされている。
【００１２】
また、図１において、１０は電源ボタン、１１は電源スタンバイＬＥＤ、１２はフロッピーディスクアクセスＬＥＤ、１３はＣＤ−ＲＯＭアクセスＬＥＤ、１４はＣＤ−ＲＯＭイジェクトボタンである（本実施形態では、フロッピーディスクドライブはオートスロットイン／オートイジェクトタイプとなっており、フロッピーディスクイジェクトボタンは備えられていない）。
【００１３】
裏面から見た図２より明らかなように、その前面を略平坦とした本体部１のケーシング３は、裏面中央がややふくらんだ薄箱形状の上部ケーシング３ａと、その裏面側を上方にいくに従って漸次断平面面積が小さくなるような概略半円錐面形状とした、下部ケーシング３ｂとからなっている。そして、上部ケーシング３ａの裏面の上部には複数の放熱穴１５が穿設されている。また、下部ケーシング３ｂの裏面の最下部には、外部機器と接続するためのコネクタ部を覆う開閉自在かつ取外し自在なカバー１６が設けられており、このカバー１６の上側には、拡張ボードを装着するための拡張ボード用スロット部を覆う開閉自在かつ取り外し自在なカバー１７が設けられている。
【００１４】
また、ケーシング３の上面（上部ケーシング３ａの上面）には、図１，図２に示すように、ＩＣカード等を装着するためのカードスロット部と、ＵＳＢコネクタ（またはＩＥＥＥ１３９４コネクタ）とを覆う、開閉自在かつ取り外し自在なカードスロット用のカバー１８が設けられている。
【００１５】
図２に示すように、スタンド部２は、本コンピュータ全体の重量を安定して支えるための所定面積を有する平面ベース部２ａと、この平面ベース部２ａの後方（奥方）に、平面ベース部２ａと一体に結合されて立垂する保持台部２ｂとからなっている。そして、保持台部２ｂの裏面には電源コード差し込み口１９が設けられ、保持台部２ｂの側面には、マウスコネクタ２０と、キーボードコネクタ２１と、ＵＳＢコネクタ２２とが、それぞれ設けられている。
【００１６】
図３は本実施形態のデスクトップ型コンピュータの中央断側面図である。
【００１７】
図３に示すように、ケーシング３の前面には液晶ディスプレイ装置４（液晶ディスプレイ素子４ａおよび液晶保護ガラス４ｂ）が配設されており、液晶ディスプレイ装置４の裏面側には、液晶ディスプレイ装置４と平行かつ近接してメインシャシー２３が配設されており、このメインシャシー２３の後側には、メインシャシー２３と平行かつ近接して、本コンピュータの主機能を搭載したメイン基板２４が配設されている。また、メインシャシー２３とメイン基板２４との間における上部には、ＩＣカード等を装着するためのカードスロット部２５が設けられており、メイン基板２４の上部にはＵＳＢコネクタ（またはＩＥＥＥ１３９４コネクタ）２６Ａ，２６Ｂが設けられている。
【００１８】
このように、液晶ディスプレイ装置４とメイン基板２４とを平行に配設すると、従来のメイン基板を水平配置する構成に比して、装置全体の奥行き寸法を小さくでき、特に本実施形態においては、上部ケーシング３ａの厚み寸法（奥行き寸法）Ｔ１が可及的に薄型化でき、また、上部ケーシング３ａ部分の重量も軽量化できる。したがって、装置全体でみるとその上部が軽量であるので、装置全体を力学的に安定したものに、容易に構築可能となる。
【００１９】
下部ケーシング３ｂ内の下側には、ＣＤ−ＲＯＭドライブ２７が横置きに配設されており（水平配置されており）、ディスク出し入れ口７からＣＤ−ＲＯＭが装着可能となっている。ＣＤ−ＲＯＭドライブ２７の上側には、フロッピーディスクドライブ２８が横置きに配設されており、ディスク出し入れ口６からフロッピーディスクが装着可能となっている。また、フロッピーディスクドライブ２８の上側には、ハードディスクドライブ２９が縦置きに配設されており、このハードディスクドライブ２９とメイン基板２４との間に、必要に応じて拡張基板３０がメイン基板２４と平行に配設されるようになっている。そして、ＣＤ−ＲＯＭドライブ２７，フロッピーディスクドライブ２８，ハードディスクドライブ２９，拡張基板３０を、上記のような配置によって下部ケーシング３ｂ内に収納するように構成している。なお、３１はカバー１６によって覆われたコネクタ部、３２はカバー１によって覆われた拡張ボード用スロット部である。
【００２０】
このように、フロッピーディスクドライブ２８より大きいＣＤ−ＲＯＭドライブ２７を、下部ケーシング３ｂ内の下側に水平配置し、その上に、ＣＤ−ＲＯＭドライブ２７より小さいフロッピーディスクドライブ２８を水平配置し、その上に、内蔵ディスクドライブとしての大容量のハードディスクドライブ２９を、縦置きに配置することにより、前記したように、その裏面側を上方にいくに従って漸次断平面面積が小さくなるような概略半円錐面形状とした、下部ケーシング３ｂ内に効率よく、各ディスクドライブ２７，２８，２９を収納することが可能となり、また、力学的にもバランスのよいものとすることができる。しかも、下部ケーシング３ｂの最大奥行き寸法Ｌ２も、ＣＤ−ＲＯＭドライブ２７の奥行き寸法よりもやや大きい、小さな値とすることが可能となる。
【００２１】
また、水平配置したＣＤ−ＲＯＭドライブ２７とフロッピーディスクドライブ２８とを、隣接して上下に２段配置したので、装置全体の横方向寸法を拡大することなく、装置全体の高さを抑えることも可能となり、しかも、ディスクサイズの小さいものを上、ディスクサイズの大きいものを下にしたので、ディスク装脱着の際に違和感のない、取り扱い性のよいものとすることができる。
【００２２】
スタンド部２の保持台部２ｂの裏面側は、上方にいくに従って漸次断平面面積が小さくなるような概略部分円錐面形状とされていて、下部ケーシング３ｂの裏面と連なるような概略部分円錐面形状となっている。このスタンド部２ｂ内には、ヒンジベース３３と、電源ユニット３４とが設けられており、電源ユニット３４はケーシング３内の各部に電源供給が可能なように、適宜の接続手段によってケーシング３内の電気系と接続されている。
【００２３】
保持台部２ｂの上面とケーシング３（下部ケーシング３ｂ）の底面奥方側とは、ヒンジ部３５，３６によって結合されていて、本実施形態では、スタンド部２の保持台部２ｂに対して、ケーシング３（本体部１）が、チルト動作（前後方向の首振り動作）並びにスイング動作（左右方向の首振り動作）が可能であるようになっている。なお、ケーシング３（本体部１）が自在回転可能なように、ヒンジ部３５，３６をユニバーサルジョイント手段に代替することも可能である。
【００２４】
また、スタンド部２の平面ベース部２ａとケーシング３（下部ケーシング３ｂ）の底面との間には、収納空間３７が形成されていて、この収納空間３７にはキーボード装置が収納可能とされている（これについては後述する）。
【００２５】
なお、スタンド部２の最大奥行き寸法Ｌ１は、装置全体の最大奥行き寸法ともなっており、本実施形態ではこのＬ１を、Ｌ１＝１８０ｍｍとして、装置全体を比較的に薄型にし、奥行き方向の設置スペース性のよいものとしてある。
【００２６】
図４は、本実施形態のデスクトップ型コンピュータにおけるチルト動作を示す図である。
【００２７】
本実施形態では、本体部１（ケーシング３）はスタンド部２に対して、前側に５°、後側に２０°の範囲内で前後に角度調整可能とされていて、後側に最大２０°傾けた状態でも、本体部１（ケーシング３）は、装置全体の最後方位置となるスタンド部２の最後方位置よりも、余裕をもって前方側に位置するようになっている。すなわち、装置全体の最大奥行き寸法Ｌ１は、本体部１のチルト位置の如何に拘らず一定のものとなるように、構成されている。
【００２８】
図５は、本実施形態のデスクトップ型コンピュータにおけるスイング動作を示す図である。
【００２９】
本実施形態では、本体部１（ケーシング３）はスタンド部２に対して、左右に各３０°の範囲内で左右に角度調整可能とされていて、右側または左側に最大３０°振らせた状態でも、本体部１（ケーシング３）は、装置全体の最後方位置となるスタンド部２の最後方位置と同等位置となるように、構成されている。
【００３０】
つまり、本実施形態では、装置の最後方位置が壁等に接するように配置された状態であっても（奥行き方向の設置スペース性の最もよい配置状態であっても）、チルト動作およびスイング動作に支障がないように配慮してある。
【００３１】
図６は、本実施形態のデスクトップ型コンピュータにおいて、ケーシング３（下部ケーシング３ｂ）の裏面下側位置のカバー１６，１７を開放した状態で、本体部１（ケーシング３）を後側に最大２０°傾けた状態を示す図である。
【００３２】
図６に示すように、本実施形態では、前記したカバー１６，１７を水平に開放した状態で、かつ、本体部１（ケーシング３）を後側に最大２０°傾けた状態でも、カバー１６，１７は、装置全体の最後方位置となるスタンド部２の最後方位置と同等位置となるように、構成されている。これは、装置の最後方位置が壁等に接するように配置された状態であっても（奥行き方向の設置スペース性の最もよい配置状態であっても）、カバー１６，１７を開放して、コネクタ部３１に外部機器からのコネクタ３８を接続したり、拡張ボード用スロット３２に拡張ボード３９を装着できることを意味し、この点でも奥行き方向の設置スペース性のよいものとなっている。なお、図６において、４０は電源コードであり、この電源コード４０の接続部も、装置全体の最後方位置となるスタンド部２の最後方位置より前側に位置するように配慮されていることは、言うまでもない。
【００３３】
上述したように、装置の最後方位置が壁等に接するように配置された状態であっても（奥行き方向の設置スペース性の最もよい配置状態であっても）、チルト動作が可能となり、また、本体部１（ケーシング３）の裏面のカバー１６，１７を開放した状態で使用可能となる所以は、本体部１（ケーシング３）の前側上部に位置する上部ケーシング３ａを薄箱形状とし、かつ、下部ケーシング３ｂの裏面を、上方にいくに従って漸次断平面面積が小さくなるような概略半円錐面形状としたことによる。
【００３４】
図７は、本実施形態のデスクトップ型コンピュータにおいて、ケーシング３（下部ケーシング３ｂ）の裏面に２段配置されたカバー１６，１７のうち、上側のカバー１７を取り外し、下側のカバー１６を開放した状態を示す要部平面図であり、図８は、本実施形態のデスクトップ型コンピュータにおいて、ケーシング３（下部ケーシング３ｂ）の裏面に２段配置されたカバー１６，１７のうち、上側のカバー１７を取り外し、下側のカバー１６を開放した状態を示す要部斜視図である。
【００３５】
図７，図８に示すように、下部ケーシング３ｂの裏面に２段配置されたカバー１６，１７は、その開放状態において、その裏面が水平状態で上向きとなるようにされており（カバー１７の開放状態は図示せず）、また、各カバー１６，１７は、取り外し可能なように構成されている（カバー１６の取り外し状態は図示せず）。そして、カバー１６の裏面には、コネクタ部３１の各種コネクタ端子に関する文字あるいは記号４１が印され、カバー１７の裏面には、拡張ボード用スロット３２に関する文字あるいは記号４２が印されていて、本装置を上側から覗き込むことによって、これらの文字あるいは記号が視認できるようになっている（接続部の種類や位置を識別できるようになっている）。
【００３６】
また、カバー１６が開放ないしは取り外されたときに露呈する、下部ケーシング３ｂの水平面３ｂ−１には、コネクタ部３１の各種コネクタ端子に関する文字あるいは記号４１が印され、カバー１７が開放ないしは取り外されたときに露呈する、下部ケーシング３ｂの水平面３ｂ−２には、拡張ボード用スロット３２に関する文字あるいは記号４２が印されていて、本装置を上側から覗き込むことによって、これらの文字あるいは記号が視認できるようになっている（接続部の種類や位置を識別できるようになっている）。
【００３７】
特に、図７，図８に示すように、上側のカバー１７を取り外し、下側のカバー１６を開放した状態では、水平面３ｂ−２の文字あるいは記号４２と、カバー１６の裏面および水平面３ｂ−１の文字あるいは記号４１とが上方から視認でき、使い勝手のよいものとなる。
【００３８】
なお、コネクタ部３１の各種コネクタ端子としては、任意種別のものをスペースファクターが許す範囲で各種設けることができ、例えば映像信号用，音声信号用，ＴＥＬ／ＬＡＮ用などを、必要に応じて適宜に設けることができる。
【００３９】
図９は、本実施形態のデスクトップ型コンピュータを９０°のコーナーに配置した様子を上面から見た図である。
【００４０】
本実施形態の装置（コンピュータ装置）は前述したような背面形状となっているので、図９に示したように、装置全体が上面から見て概略扇形形状となり、装置全体の後側の両サイドが、９０°のコーナーの壁面に略沿うように、装置全体を９０°のコーナーに可及的に押し込み配置可能となり、以って、９０°のコーナーへの配置性にも優れたものとなっている。
【００４１】
図１０は、本実施形態のデスクトップ型コンピュータのケーシング３（上部ケーシング３ａ）上面のカードスロット用のカバー１８を開放し、カメラ部付きのＩＣカードをカードスロット部２５に装着した様子を断面で示す図であり、図１１は、本実施形態のデスクトップ型コンピュータのケーシング３（上部ケーシング３ａ）上面のカードスロット用のカバー１８を取り外し、カメラ部付きのＩＣカードをカードスロット部２５に装着した状態で、かつ、本体部１を後側にチルトさせた様子を断面で示す図であり、また、図１２は図１０の状態に対応する要部斜視図であり、図１３は図１１の状態に対応する要部斜視図である。
【００４２】
図１０，図１２に示すように、上部ケーシング３ａ上面のカードスロット用のカバー１８は、スライドさせることによって開放位置をとるようになっており、さらに、図１１，図１３に示すように、開放位置から取り外しできるようになっている。カバー１８を開放させた状態では、カードスロット部２５と、カード上下移動ボタン４４と、カード取り外しボタン４５と、ＵＳＢコネクタ（またはＩＥＥＥ１３９４コネクタ）２６Ａとが露出するようになっており、カバー１８を取り外した状態では、ＵＳＢコネクタ（またはＩＥＥＥ１３９４コネクタ）２６Ｂが露出するようになっている。
【００４３】
カバー１８が開放ないし取り外された状態において、カードスロット部２５には各種ＩＣカードが装着可能となり、図１０〜図１３に示した本例では、カメラ部４６ａ付きのＩＣカード４６がカードスロット部２５に装着されている。このようなカメラ部４６ａ付きのＩＣカード４６は、映像処理の主体を本実施形態のようなコンピュータ等に担わせることによって、近い将来には実現可能と思われ、このカメラ部４６ａ付きのＩＣカード４６を用いることによって、オペレータの自画像などが撮像可能となり、テレビ電話等に適用して多いに有意である。
【００４４】
ところで、上部ケーシング３ａの上面からカードスロット部２５にカメラ部４６ａ付きのＩＣカード４６を装着した場合に、前記したように本体部１（ケーシング３）をチルトさせると、カメラ部４６ａの角度調整が必要となる。そこで、本例では、ＩＣカード４６のカメラ部４６ａを、ＩＣカード４６に対してチルト動作可能な構成としてある。このように、ＩＣカード４６のカメラ部４６ａをチルト動作可能な構成とすると、カメラ部４６ａのチルト位置に応じてＩＣカード４６を上下動させる必要があり、この上下移動を、カード上下移動ボタン４４の操作によって、適宜のメカニズムによって行うようにしてある。また、ＩＣカード４６が上下動すると、ＩＣカード４６の接点部４６ｂも上下動するので、カードスロット部２５の接点部を、カード上下移動ボタン４４の操作に応じて適宜のメカニズムにより上下動させるようになっている。なお、カードスロット部２５とＩＣカード４６を一体に上下動させるようにしてもよい。
【００４５】
斯様な構成にすることにより、上部ケーシング３ａの上面からカードスロット部２５にカメラ部４６ａ付きのＩＣカード４６を装着した場合に、本体部１（ケーシング３）のチルト角度に応じて、カメラ部４６ａの角度調整が行え、使い勝手が向上する。
【００４６】
図１４は、本実施形態のデスクトップ型コンピュータにおける、スタンド部２の平面ベース部２ａとケーシング３（下部ケーシング３ｂ）の底面との間の収納空間３７に、汎用のキーボード装置を収納した様子を示す図であり、図１５は図１４に対応する要部斜視図であり、また、図１６は、本実施形態のデスクトップ型コンピュータにおける、スタンド部２の平面ベース部２ａとケーシング３（下部ケーシング３ｂ）の底面との間の収納空間３７に、専用の小型キーボード装置を収納した様子を示す図である。
【００４７】
スタンド部２の平面ベース部２ａとケーシング３（下部ケーシング３ｂ）の底面との間の収納空間３７には、汎用のキーボード装置４７や、専用の小型キーボード装置４８が収納可能とされている。汎用のキーボード装置４７を収納空間３７に収納した場合の各部の寸法関係は、本例では図１４に示す通りであり、汎用のキーボード装置４７は、その奥行き寸法の６割強が収納空間３７内に収められるようになっている。また、専用の小型キーボード装置４８を収納空間３７に収納した場合には、図１６に示すように、専用の小型キーボード装置４８は収納空間３７内に完全に収められるようになっている。
【００４８】
斯様に本実施形態においては、接続されたキーボード装置を、不使用時には、収納空間３７内に収めることができるので、この点でもスペース効率に優れたものとなる。
【００４９】
図１７は、本実施形態のデスクトップ型コンピュータにおける、ケーシング３の下部（下部ケーシング３ｂ）を正面から見た図であり、図１８は、本実施形態のデスクトップ型コンピュータの本体部１（ケーシング３）を、チルトまたはスイングさせる際の様子を示す図である。
【００５０】
図１７に示すように、本実施形態においては、下部ケーシング３ｂの下部の左右には、手でホールドするための膨出部３ｂ−３，３ｂ−３が形成してあり、このような膨出部３ｂ−３を設けることによって、手でホールドするためのホールド性が良好なものとなって、チルト動作またはスイング動作させる際の操作性が向上する。
【００５１】
以上述べたように、本実施形態においては、薄型で軽量であるという液晶ディスプレイ装置のもつ特性を充分に活かして、表示装置を含めたデスクトップ型コンピュータシステム全体を薄型・コンパクトで、設置スペース性のよいものとして、かつ、使い勝手のよいものとして実現することができる。
【００５２】
図１９は、本発明の第２実施形態に係るデスクトップ型コンピュータの中央断側面図である。
【００５３】
本実施形態は、前記第１実施形態と略同様の構成となっており、本実施形態が前記第１実施形態と異なるのは、メインシャーシ２３とメイン基板２４の位置を入れ替え、メイン基板２４と液晶液晶ディスプレイ装置４と密着・一体化した点にある。
【００５４】
斯様な構成をとる本実施形態においては、上部ケーシング３ａの厚み寸法（奥行き寸法）Ｔ１’を第１実施形態の前記Ｔ１より小さくでき、これに伴って、スタンド部２の最大奥行き寸法Ｌ１’も第１実施形態の前記Ｌ１より小さくでき、装置全体の奥行き寸法をより小さくできる。
【００５５】
図２０〜図２３は本発明の第３実施形態のデスクトップ型コンピュータに係り、図２０は、本実施形態のデスクトップ型コンピュータを正面側から見た斜視図、図２１、は本実施形態のデスクトップ型コンピュータを裏面側から見た斜視図、図２２は、本実施形態のデスクトップ型コンピュータを図２１とは別の角度で裏面側から見た斜視図、図２３は、本実施形態のデスクトップ型コンピュータの中央断側面図である。
【００５６】
図２０〜図２３において、５１は本体部、５２は本体部５１を支持するスタンド部であり、５３は本体部５１の外筐体をなすケーシングである。
【００５７】
図２０に示すように、本体部５１の前面には液晶ディスプレイ５４が配設されており、この液晶ディスプレイ５４の下側中央には、本体部５１内に内蔵されたフロッピーディスクドライブのディスク出し入れ口５５が水平方向に配設されており、このディスク出し入れ口５５の下側には、本体部５１内に内蔵されたＣＤ−ＲＯＭドライブのディスク出し入れ口５６が配設されており、上記２つのディスク出し入れ口５５，５６の左右には、スピーカ５７，５７が配設されていて、ステレオ音声出力が可能とされている。なお、図２０において、５８は電源ボタン、５９はフロッピーディスクイジェクトボタン、６０はＣＤ−ＲＯＭイジェクトボタン、６１はＬＥＤである。
【００５８】
図２１に示すように、本体部５１（ケーシング５３）の左側面には、外部機器と接続ないし拡張ボード等を接続するためのコネクタ部６２を覆う、開閉自在かつ取り外し自在なカバー６３が設けられていて、コネクタ部６２には、９ピンシリアルポート６２ａ，２５ピンパラレルポート６２ｂ，ＩＳＡ／ＰＣスロット６２ｃ等が用意されている。また、コネクタ部６２の下側には、ＴＥＬ／ＬＡＮコネクタ６４が設けられ、ＴＥＬ／ＬＡＮコネクタ６４の後側には、音声信号出力端子，映像信号入出力端子，ＭＩＤＩ／ジョイスティックコネクタ等をもつコネクタ部６５が設けられている。なお、図２１において、６６はケーシング５３の裏面上部に設けた放熱穴である。また、図２２に示すように、本体部５１（ケーシング５３）の右側面には、電源差し込み口６７，電源ボタン９０，キーボードコネクタ６８，マウスコネクタ６９，ＴＥＬ／ＬＡＮコネクタ７０等が設けられている。
【００５９】
図２３に示すように、ケーシング５３の前面には液晶ディスプレイ５４が配設されており、液晶ディスプレイ５４の裏面側には、液晶ディスプレイ５４と平行かつ近接してシャシー７１が配設されており、このシャシー７１の後側には、シャシー７１と平行かつ近接してメイン基板７２が配設されている。また、ケーシング５３内の後部上方側には、電源ユニット７３が設けられている。さらに、ケーシング５３内の下側には、ＣＤ−ＲＯＭドライブ７４が横置きに配設されており、ＣＤ−ＲＯＭドライブ７４の上側にはフロッピーディスクドライブ７５が横置きに配設されており、フロッピーディスクドライブ７５の上側には、ハードディスクドライブ７６が横置きに配設されている。なお、図２３のケーシング５３内部において、７７はＣＰＵ、７８はファン、７９はＰＣＩ／ＩＳＡスロット部である。
【００６０】
また、スタンド部５２内には、本体部５１をチルト動作並びにスイング動作可能なように結合・支持するヒンジ支承部８０が設けられており、これによって、本体部５１はスタンド部５２に対してチルト動作およびスイング動作することが可能なようになっている。
【００６１】
斯様な構成をとる本実施形態においても、液晶ディスプレイ５４の裏側にメイン基板７２を平行に配設しているので、従来のメイン基板を水平配置する構成に比して、装置全体の奥行き寸法を小さくすることができる。また、水平配置したＣＤ−ＲＯＭドライブ７４とフロッピーディスクドライブ７５とを、隣接して上下に２段配置したので、装置全体の横方向寸法を拡大することなく、装置全体の高さを抑えることも可能となり、しかも、ディスクサイズの小さいものを上、ディスクサイズの大きいものを下にしたので、ディスク装脱着の際に違和感のない、取り扱い性のよいものとすることができる。また、本実施形態の液晶ディスプレイ５４のサイズは、本発明の他の実施形態のもの（１５インチを想定）に比して小型の１２インチタイプとされており、前記第１，第２実施形態のものと較べると、液晶ディスプレイ５４の上部分に相当するケーシング部位が上方に出っ張らずに、本体部５１のケーシング５３全体を略箱型でコンパクトなものに構成することができる。
【００６２】
図２４〜図２７は本発明の第４実施形態のデスクトップ型コンピュータに係り、図２４は、本実施形態のデスクトップ型コンピュータを正面側から見た斜視図、図２５は、本実施形態のデスクトップ型コンピュータを裏面側から見た斜視図、図２６は、本実施形態のデスクトップ型コンピュータの側面図、図２７は、本実施形態のデスクトップ型コンピュータをチルト動作させた際の側面図である。
【００６３】
図２４〜図２７において、１０１は液晶ディスプレイ装置１０２を備えた薄型の表示部、１０３は表示部１０１のケーシング、１０４は表示部１０１を支持する本体部（装置本体）、１０５は本体部１０４のケーシング、１０６は本体部１０４の支持ベース部である。なお、ここでいう本体部１０４とは、必ずしもメインＣＰＵを内蔵することを意味するものではなく、機構のベースとなるものを指す（これは、以下の各実施形態においても同様である）。
【００６４】
図２４に示すように、表示部１０１の前面には、液晶ディスプレイ装置１０２が配設されており、表示部１０１のケーシング１０３の下部の左右には、本体部１０４の両側面の外側に位置するように１対の下方張り出し部１０７，１０７が形成されていて、表示部１０１（ケーシング１０３）が本体部１０４を跨ぐように配置されている。下方張り出し部１０７にはスピーカ１０８がそれぞれ配置されている。また、本体部１０４の前面には、表示部１０１の液晶ディスプレイ装置１０２の中央真下に位置するように、本体部１０４内に内蔵されたフロッピーディスクドライブのディスク出し入れ口１０９が水平方向に配設されており、このディスク出し入れ口１０９の下側には、本体部１０４内に内蔵されたＣＤ−ＲＯＭドライブのディスク出し入れ口１１０が水平方向に配設されている。なお、図２４において、１１１は電源ボタン、１１２はＣＤ−ＲＯＭイジェクトボタンである。
【００６５】
図２５に示すように、表示部１０１の裏面上方には放熱穴１１３が設けられている。また、本体部１０４の裏面には、電源差し込み口１１４，コネクタ部を覆うカバー１１５，拡張ボード用スロット部を覆うカバー１１６等が設けられており、本体部１０４の側面には、キーボードコネクタ１１７，マウスコネクタ１１８，ＵＳＢコネクタ１１８等が設けられている。
【００６６】
表示部１０１のケーシング１０３内には、液晶ディスプレイ１０２の裏側にメイン基板が平行に配設・内蔵してあり、また、本体部１０４のケーシング１０５内の下側には、ＣＤ−ＲＯＭドライブが横置きに配設されており、ＣＤ−ＲＯＭドライブ７の上側にはフロッピーディスクドライブが横置きに配設されており、フロッピーディスクドライブの上側には、ハードディスクドライブが横置きに配設されている。
【００６７】
そして、薄型・軽量の表示部１０１が、本体部１０４に対してチルト動作が可能であるように結合・支持されていて、表示部１０１が鉛直に立垂した図２６の状態から、表示部１０１が後側に傾いた図２７に示した状態に移行できるようになっている。図２７に示した状態は、表示部１０１が後側に最大限傾いた状態であり、このとき、表示部１０１は、装置全体の最後方位置よりも、余裕をもって前方側に位置するようになっている。すなわち、装置全体の最大奥行き寸法は、表示部１０１のチルト位置の如何に拘らず一定のものとなるように、構成されている。
【００６８】
斯様な構成をとる本実施形態においても、薄型で軽量であるという液晶ディスプレイ装置のもつ特性を充分に活かして、表示装置を含めたデスクトップ型コンピュータシステム全体を薄型・コンパクトで、設置スペース性のよいものとすることができる。また、薄型・軽量の表示部１０１のみをチルト動作させるので、チルト動作の操作性に優れたものとなる。また、水平配置したＣＤ−ＲＯＭドライブとフロッピーディスクドライブとを、隣接して上下に２段配置したので、装置全体の横方向寸法を拡大することなく、装置全体の高さを抑えることも可能となり、しかも、ディスクサイズの小さいものを上、ディスクサイズの大きいものを下にしたので、ディスク装脱着の際に違和感のない、取り扱い性のよいものとすることができる。さらに、チルト動作に伴ってディスク出し入れ口が移動することなく一定位置を保つので（すなわち、前記した各実施形態では、チルト動作に伴ってディスク出し入れ口およびディスクドライブが傾くので、ディスクの挿入方向が傾くのに対し、本実施形態では、ディスクドライブが水平状態を保つので、ディスクの挿入方向は常に水平なものとなるので）、この点でもディスク装脱着の操作性に優れたものとなる。
【００６９】
図２８〜図３２は本発明の第５実施形態のデスクトップ型コンピュータに係り、図２８は、本実施形態のデスクトップ型コンピュータにおいて、入力ボード装置を立て掛けた状態の正面側から見た斜視図、図２９は、本実施形態のデスクトップ型コンピュータにおいて、入力ボード装置を寝かせた状態の裏面側から見た斜視図、図３０は、本実施形態のデスクトップ型コンピュータにおいて、入力ボード装置を立て掛けた状態の断側面図、図３１は、本実施形態のデスクトップ型コンピュータにおいて、入力ボード装置を寝かせた状態の断側面図、図３２は、本実施形態のデスクトップ型コンピュータにおいて、入力ボード装置のとり得る姿勢を示す説明図である。
【００７０】
図２８〜図３１において、１５１は液晶ディスプレイ装置１５２を備えた薄型の表示部、１５３は表示部１５１のケーシング、１５４は表示部１５１を支持する本体部（装置本体）、１５５は本体部１５４のケーシング、１５６は本体部１５４に図示せぬ適宜の接続手段で接続された入力ボード装置である。
【００７１】
図２８に示すように、表示部１５１の前面には、液晶ディスプレイ装置１５２が配設されている。本体部１５４のケーシング１５５の前面上部には手前側に下る傾斜面１５５ａが形成されていて、この傾斜面１５５ａの中央上部に、本体部１５４内に内蔵されたフロッピーディスクドライブのディスク出し入れ口１５７が水平方向に配設されており、ディスク出し入れ口１５７の下側に、本体部１５４内に内蔵されたＣＤ−ＲＯＭドライブのディスク出し入れ口１５８が配設されている。また、２つのディスク出し入れ口１５７，１５８の左右にはスピーカ１５９，１５９がそれぞれ配設されており、電源ボタン１６０も傾斜面１５５ａに設けられている。また、本体部１５４のケーシング１５５の右側面には、マウスコネクタ１６１，ＴＥＬ／ＬＡＮコネクタ１６２，キーボードコネクタ（ここでは図示せず）等が設けられている。
【００７２】
図２９に示すように、表示部１５１のケーシング１５３の上面には、ＩＣカードスロット部を覆うカバー１６３が設けられており、ケーシング１５３の裏面下部には、ＩＳＡカードスロット部を覆うカバー１６４が設けられている。また、本体部１５４のケーシング１５５の裏面側には、拡張ボード用スロット部を覆うカバー１６５や電源差し込み口１６６等が設けられている。
【００７３】
また、表示部１５１は、ヒンジ部１６７によって、本体部１５４にチルト動作が可能であるように結合・保持されている（図３１参照）。
【００７４】
入力ボード装置１５６は、両面入力タイプの構成とされ、図２９に示すように、その一面側には、通常のキーボード装置と同様のキー入力部１６８が設けられており、図２８に示すように、その他面側には、タッチタブレット等のタッチポインティング入力部１６９が設けられている。また、入力ボード装置１５６には、両面入力タイプのトラックパッド部１７０が設けられている。この入力ボード装置１５６は、ヒンジ／スライダフル結合部１７１によって、本体部１５４に対して回動可能に連結され、かつ、入力ボード装置１５６は寝かされた状態においては、ヒンジ／スライダフル結合部１７１によって、所定量前後にスライド可能とされている。
【００７５】
図３０，図３１に示すように、表示部１５１のケーシング１５３の前面には液晶ディスプレイ装置１５２が配設されており、液晶ディスプレイ装置１５２の裏面側には、液晶ディスプレイ装置１５２と平行かつ近接してメイン基板１７２が配設されており、また、ケーシング１５３内の上部にはＩＣカードスロット部１７３が設けられ、ケーシング１５３内の下部にはＰＣ／ＩＳＡカードスロット部１７４が設けられている。本体部１５４のケーシング１５５内の下側には、ハードディスクドライブ１７５，電源ユニット１７６，拡張ボード１７７等が配設され、ケーシング１５５内の上側には、フロッピーディスクドライブ１７８が斜め下がりに配設され、フロッピーディスクドライブ１７８の下側には、ＣＤ−ＲＯＭドライブ１７９がフロッピーディスクドライブ１７８と平行に斜め下がりに配設されている。
【００７６】
上述したように本実施形態では、入力ボード装置１５６は、ヒンジ／スライダフル結合部１７１によって、本体部１５４に対して回動可能に連結されており、図２８，図３０に示すように、本体部１５４の前面に立て掛けられた状態と、図２９，図３１に示すように、本体部１５４の前で寝かされた状態とを、とり得るようになっている。そして、入力ボード装置１５６が本体部１５４に立て掛けられた状態では、タッチポインティング入力部１６９とトラックパッド部１７０とが入力操作可能とされ、これによって、ＣＤ−ＲＯＭの再生動作等々の比較的簡単な操作を、入力ボード装置１５６を立てたままの状態で行えるようになっている。この際、本体部１５４のケーシング１５５の傾斜面１５５ａに、ディスク出し入れ口１５７，１５８やスピーカ１５９が位置していて、これらは入力ボード装置１５６が立て掛けられた状態でも露呈しているので、ディスクの装脱着は容易に行うことができ、また、音声出力性能が劣化することもないようにされている。
【００７７】
一方、入力ボード装置１５６が本体部１５４の前で寝かされた状態では、キー入力部１６８とトラックパッド部１７０とが入力操作可能とされ、これによって、通常のコンピュータシステムと同様に、多様な操作が行えるようになっている。
【００７８】
また、入力ボード装置１５６は寝かされた状態においては、ヒンジ／スライダフル結合部１７１によって、所定量前後にスライド可能とされていて、図３２の（ｃ）に示すように、本体部１５４のケーシング１５５の前面側下部に設けた前方突出担持部１５５ｂに、入力ボード装置１５６の奥方が乗り上げ可能とされ、これによって、断面が同一厚みの入力ボード装置１５６を、通常のキーボード装置と同様の奥方側が若干高くなった構成のものと、同等の操作性をもって入力操作することが可能となっている。
【００７９】
なお、図３２の（ａ），（ｂ），（ｃ）は、入力ボード装置１５６が立て掛けられた状態から寝かされた状態に移行し、寝かされた状態から入力ボード装置１５６の奥方が前方突出担持部１５５ｂに乗り上げた状態に移行する様子を示している。
【００８０】
斯様な構成をとる本実施形態においても、薄型で軽量であるという液晶ディスプレイ装置のもつ特性を充分に活かして、表示装置を含めたデスクトップ型コンピュータシステム全体を薄型・コンパクトで、設置スペース性のよいものとすることができる。また、薄型・軽量の表示部１５１のみをチルト動作させるので、チルト動作の操作性に優れたものとなる。また、その一面側にキー入力部をもち、その他面側にタッチポインティング入力部１６９をもつ、両面入力タイプの入力ボード装置１５６を用い、入力ボード装置１５６が立て掛けられた状態ではタッチポインティング入力部による入力操作を可能とし、入力ボード装置１５６が寝かされた状態ではキー入力部１６８による入力操作を可能としているので、入力ボード装置１５６が立て掛けられたスペースファクターのよい状態でも、入力操作を簡易な入力形態で行うことが可能となり、使い勝手が大いに向上する。さらに、不使用時には、入力ボード装置１５６を立て掛けた状態にして、スペース効率を高めることもできる。
【００８１】
図３３〜図３６は本発明の第６実施形態のデスクトップ型コンピュータに係り、図３３は、本実施形態のデスクトップ型コンピュータにおいて、キーボード装置を立て掛けた状態の正面側から見た斜視図、図３４は、本実施形態のデスクトップ型コンピュータにおいて、キーボード装置を立て掛けた状態の裏面側から見た斜視図、図３５は、本実施形態のデスクトップ型コンピュータにおいて、キーボード装置を立て掛けた状態の断側面図、図３６は、本実施形態のデスクトップ型コンピュータにおいて、キーボード装置を寝かせた状態の断側面図である。
【００８２】
図３３〜図３６において、２０１は液晶ディスプレイ装置２０２を備えた表示部、２０３は表示部２０１のケーシング、２０４は表示部２０１を支持する本体部（装置本体）、２０５は本体部２０４のケーシング、２０６は本体部２０４に図示せぬ適宜の接続手段で接続されたキーボード装置である。
【００８３】
図３３に示すように、表示部２０１の前面には液晶ディスプレイ装置２０２が配設されており、液晶ディスプレイ装置２０２の右下には電源ボタン２０７が設けられている。本体部２０４の前面の左右にはスピーカ２０８，２０８が配設されており、後述するように、キーボード装置２０６が本体部２０４の前面に立て掛けられた状態でも、スピーカ２０８，２０８は露呈するようになっている。また、本体部２０４のケーシング２０５の前面側下部には、前方突出担持部２０５ａ，２０５ａが設けられている。
【００８４】
図３４に示すように、表示部２０１のケーシング２０３の上面には、表示部２０１内に内蔵されたフロッピーディスクドライブのディスク出し入れ口２０９が、液晶ディスプレイ装置２０２の表示面と平行に配設され、ディスク出し入れ口２０９に隣接して、表示部２０１内に内蔵されたＣＤ−ＲＯＭドライブのディスク出し入れ口２１０が、液晶ディスプレイ装置２０２の表示面と平行に配設されている。本体部２０４のケーシング２０５の裏面には、電源差し込み口２１１等が設けられ、ケーシング２０５の側面には、マウスコネクタ２１２，ＴＥＬ／ＬＡＮコネクタ２１３，キーボードコネクタ（ここでは図示せず）等が設けられている。
【００８５】
また、表示部２０１は、ヒンジ部２１４によって、本体部２０４にチルト動作が可能であるように結合・保持されている（図３６参照）。
【００８６】
キーボード装置２０６は、本体部２０４の前面側に立て掛けられた状態と、本体部２０４の前で寝かされた状態とを、とり得るように本体部２０４に連結されており、かつ、キーボード装置２０６の一面側に設けたキー入力部２１５は、キーボード装置２０６が立て掛けられた状態でも、寝かされた状態でも、外方に露出して、入力操作が可能であるように、構成されている。
【００８７】
図３５，図３６に示すように、表示部２０１のケーシング２０３の前面には液晶ディスプレイ装置２０２が配設されており、液晶ディスプレイ装置２０２の裏面側には、液晶ディスプレイ装置２０２と平行かつ近接してメイン基板２１６が配設されている。また、メイン基板２１６の後側上方位置には、メイン基板２１６と平行かつ近接してフロッピーディスクドライブ２１７が縦置きに配設されており、フロッピーディスクドライブ２１７の後側には、フロッピーディスクドライブ２１７と平行かつ近接してＣＤ−ＲＯＭドライブ２１８が配設されており、さらに、表示部２０１のケーシング２０３の下部には、ＰＣ／ＩＳＡカードスロット部２１９が設けられている。また、本体部２０４のケーシング２０５内には、電源ユニット２２０，ハードディスクドライブ２２１，拡張ボード２２２等が配設されている。
【００８８】
本実施形態では、キーボード装置２０６は、立て掛けられた状態と寝かされた状態をとり得、かつ、何れの状態でもキー入力部２１５が外方に露出するように構成されており、このため、キーボード装置２０６は、本体部２０４に対してスライドかつ回動できるように、キーボードアーム２２３によって本体部２０４に連結されている。そして、キーボード装置２０６は、図３５３５に示した立て掛けられた状態から、図３６の２点鎖線で示した状態を経るように、図３６の矢印方向にスライドかつ回動して、図３６の実線図示された寝かされた状態へ移行するように構成されている。寝かされた状態から立て掛けられた状態への移行は、この逆である。
【００８９】
また、キーボード装置２０６が寝かされた状態をとった際には、図３６に示すように、本体部２０４のケーシング２０５の前面側下部に設けた前方突出担持部２０５ａに、キーボード装置２０６の奥方が乗り上げ可能とされ、これによって、断面が同一厚みの入キーボード装置２０６を、通常のキーボード装置と同様の奥方側が若干高くなった構成のものと、同等の操作性をもって入力操作することが可能となっている。
【００９０】
斯様な構成をとる本実施形態においても、薄型で軽量であるという液晶ディスプレイ装置のもつ特性を充分に活かして、表示装置を含めたデスクトップ型コンピュータシステム全体を薄型・コンパクトで、設置スペース性のよいものとすることができる。また、表示部２０１に、フロッピーディスクドライブ２１７とＣＤ−ＲＯＭドライブ２１８とを表示面と平行に配設したの、フロッピーディスクドライブ２１７やＣＤ−ＲＯＭドライブ２１８を表示部２０１に内蔵した構成であっても、表示部２０１を薄型化することが可能となり、これによって、表示部２０１を支持する本体部２０４には、フロッピーディスクドライブ２１７やＣＤ−ＲＯＭドライブ２１８を内蔵する必要がないので、本体部２０４も薄型化でき、したがって、装置全体を薄型化できる。さらに、キーボード装置２０６が立て掛けられた状態でも、寝かされた状態でもキー入力部２１５による入力操作が可能であるので、キーボード装置２０６が立て掛けられたスペースファクターのよい状態でも、入力操作を簡易な入力形態で行うことが可能となり、使い勝手が大いに向上する。さらに、不使用時には、キーボード装置２０６を立て掛けた状態にして、スペース効率を高めることもできる。
【００９１】
図３７および図３８は本発明の第７実施形態のデスクトップ型コンピュータに係り、図３７は、本実施形態のデスクトップ型コンピュータにおいて、キーボード装置を立て掛けた状態の正面側から見た要部斜視図、図３８は、本実施形態のデスクトップ型コンピュータにおいて、キーボード装置を寝かせた状態の正面側から見た要部斜視図である。
【００９２】
本実施形態は前記第６実施形態の変形例であり、本実施形態が前記第６実施形態と異なるのは、キーボード装置２０６のキー入力部２１５を設けた面の左右にスピーカ２３０，２３０を配設し、本体部２０４（ケーシング２０５）側のスピーカ２０８，２０８を排した点にある。
【００９３】
斯様な構成をとる本実施形態においては、前記第６実施形態と同等の作用効果を奏する。また、キーボード装置２０６が立て掛けられた状態でも、寝かされた状態でも、スピーカ２３０の音声出力部が露出するので、何れの状態でも音声出力性能が劣化することがなく、しかも、本体部２０４にスピーカを設ける必要がないので、本体部２０４の幅を小さくできる。
【００９４】
なお、前記第６実施形態と第７実施形態とを併せた構成、すなわち、本体部２０４の前面の左右にスピーカ２０８，２０８を設けるとともに、キーボード装置２０６のキー入力部２１５を設けた面の左右にスピーカ２３０，２３０を設けると、小型スピーカが４個付くのでサラウンド効果が得られ、かつ、装置全体の薄型化を阻害することもない。
【図面の簡単な説明】
【００９５】
【図１】本発明の第１実施形態に係るデスクトップ型コンピュータの正面側（前面側）から見た斜視図である。
【図２】本発明の第１実施形態に係るデスクトップ型コンピュータの裏面側から見た斜視図である。
【図３】本発明の第１実施形態に係るデスクトップ型コンピュータの中央断側面図である。
【図４】本発明の第１実施形態に係るデスクトップ型コンピュータにおけるチルト動作を示す説明図である。
【図５】本発明の第１実施形態に係るデスクトップ型コンピュータにおけるスイング動作を示す説明図である。
【図６】本発明の第１実施形態に係るデスクトップ型コンピュータにおいて、ケーシングの裏面下側位置のカバーを開放した状態で、本体部を後側に最大角度傾けた状態を示す説明図である。
【図７】本発明の第１実施形態に係るデスクトップ型コンピュータにおいて、ケーシングの裏面に２段配置されたカバーのうち、上側のカバーを取り外し、下側のカバーを開放した状態を示す要部平面図である。
【図８】本発明の第１実施形態に係るデスクトップ型コンピュータにおいて、ケーシングの裏面に２段配置されたカバーのうち、上側のカバーを取り外し、下側のカバーを開放した状態を示す要部斜視図である。
【図９】本発明の第１実施形態に係るデスクトップ型コンピュータを、９０°のコーナーに配置した様子を上面から見た説明図である。
【図１０】本発明の第１実施形態に係るデスクトップ型コンピュータのケーシング上面のカードスロット用のカバーを開放し、カメラ部付きのＩＣカードをカードスロットに装着した様子を断面で示す説明図である。
【図１１】本発明の第１実施形態に係るデスクトップ型コンピュータのケーシング上面のカードスロット用のカバーを取り外し、カメラ部付きのＩＣカードをカードスロットに装着した状態で、かつ、本体部を後側にチルトさせた様子を断面で示す説明図である。
【図１２】図１０の状態に対応する要部斜視図である。
【図１３】図１１の状態に対応する要部斜視図である。
【図１４】本発明の第１実施形態に係るデスクトップ型コンピュータにおける、スタンド部の平面ベース部とケーシングの底面との間の収納空間に、汎用のキーボード装置を収納した様子を示す説明図である。
【図１５】図１４に対応する要部斜視図である。
【図１６】本発明の第１実施形態に係るデスクトップ型コンピュータにおける、スタンド部の平面ベース部とケーシングの底面との間の収納空間に、専用の小型キーボード装置を収納した様子を示す要部斜視図である。
【図１７】本発明の第１実施形態に係るデスクトップ型コンピュータにおける、ケーシングの下部（下部ケーシング）を示す要部正面図である。
【図１８】本発明の第１実施形態に係るデスクトップ型コンピュータにおいて、本体部をチルトまたはスイングさせる際の様子を示す説明図である。
【図１９】本発明の第２実施形態に係るデスクトップ型コンピュータの中央断側面図である。
【図２０】本発明の第３実施形態に係るデスクトップ型コンピュータを正面側から見た斜視図である。
【図２１】本発明の第３実施形態に係るデスクトップ型コンピュータを裏面側から見た斜視図である。
【図２２】本発明の第３実施形態に係るデスクトップ型コンピュータを、図２１とは別の角度で裏面側から見た斜視図である。
【図２３】本発明の第３実施形態に係るデスクトップ型コンピュータの中央断側面図である。
【図２４】本発明の第４実施形態に係るデスクトップ型コンピュータを正面側から見た斜視図である。
【図２５】本発明の第４実施形態に係るデスクトップ型コンピュータを裏面側から見た斜視図である。
【図２６】本発明の第４実施形態に係るデスクトップ型コンピュータの側面図である。
【図２７】本発明の第４実施形態に係るデスクトップ型コンピュータをチルト動作させた際の側面図である。
【図２８】本発明の第５実施形態に係るデスクトップ型コンピュータにおいて、入力ボード装置を立て掛けた状態の正面側から見た斜視図である。
【図２９】本発明の第５実施形態に係るデスクトップ型コンピュータにおいて、入力ボード装置を寝かせた状態の裏面側から見た斜視図である。
【図３０】本発明の第５実施形態に係るデスクトップ型コンピュータにおいて、入力ボード装置を立て掛けた状態の断側面図である。
【図３１】本発明の第５実施形態に係るデスクトップ型コンピュータにおいて、入力ボード装置を寝かせた状態の断側面図である。
【図３２】本発明の第５実施形態に係るデスクトップ型コンピュータにおいて、入力ボード装置のとり得る姿勢を示す説明図である。
【図３３】本発明の第６実施形態に係るデスクトップ型コンピュータにおいて、キーボード装置を立て掛けた状態の正面側から見た斜視図である。
【図３４】本発明の第６実施形態に係るデスクトップ型コンピュータにおいて、キーボード装置を立て掛けた状態の裏面側から見た斜視図である。
【図３５】本発明の第６実施形態に係るデスクトップ型コンピュータにおいて、キーボード装置を立て掛けた状態の断側面図である。
【図３６】本発明の第６実施形態に係るデスクトップ型コンピュータにおいて、キーボード装置を寝かせた状態の断側面図である。
【図３７】本発明の第７実施形態に係るデスクトップ型コンピュータにおいて、キーボード装置を立て掛けた状態の正面側から見た要部斜視図である。
【図３８】本発明の第７実施形態に係るデスクトップ型コンピュータにおいて、キーボード装置を寝かせた状態の正面側から見た要部斜視図である。
【符号の説明】
【００９６】
１  本体部
２  スタンド部
２ａ  平面ベース部
２ｂ  保持台部
３  ケーシング
３ａ  上部ケーシング
３ｂ  下部ケーシング
３ｂ−１，３ｂ−２  水平面
３ｂ−３  膨出部
４  液晶ディスプレイ装置
５  マイク
６  フロッピーディスクドライブのディスク出し入れ口
７  ＣＤ−ＲＯＭドライブのディスク出し入れ口
８  赤外光通信授受部
１６  コネクタ部を覆うカバー
１７  拡張ボード用スロット部を覆うカバー
１８  カードスロット用のカバー
２３  メインシャーシ
２４  メイン基板
２５  カードスロット部
２６Ａ，２６Ｂ  ＵＳＢコネクタ（またはＩＥＥＥ１３９４コネクタ）
２７  ＣＤ−ＲＯＭドライブ
２８  フロッピーディスクドライブ
２９  ハードディスクドライブ
３０  拡張基板
３１  コネクタ部
３２  拡張ボード用スロット部
３３  ヒンジベース
３４  電源ユニット
３５，３６  ヒンジ部
３７  収納空間
【図１】
2006012187.tif 000003
【図２】
2006012187.tif 000004
【図３】
2006012187.tif 000005
【図４】
2006012187.tif 000006
【図５】
2006012187.tif 000007
【図６】
2006012187.tif 000008
【図７】
2006012187.tif 000009
【図８】
2006012187.tif 000010
【図９】
2006012187.tif 000011
【図１０】
2006012187.tif 000012
【図１１】
2006012187.tif 000013
【図１２】
2006012187.tif 000014
【図１３】
2006012187.tif 000015
【図１４】
2006012187.tif 000016
【図１５】
2006012187.tif 000017
【図１６】
2006012187.tif 000018
【図１７】
2006012187.tif 000019
【図１８】
2006012187.tif 000020
【図１９】
2006012187.tif 000021
【図２０】
2006012187.tif 000022
【図２１】
2006012187.tif 000023
【図２２】
2006012187.tif 000024
【図２３】
2006012187.tif 000025
【図２４】
2006012187.tif 000026
【図２５】
2006012187.tif 000027
【図２６】
2006012187.tif 000028
【図２７】
2006012187.tif 000029
【図２８】
2006012187.tif 000030
【図２９】
2006012187.tif 000031
【図３０】
2006012187.tif 000032
【図３１】
2006012187.tif 000033
【図３２】
2006012187.tif 000034
【図３３】
2006012187.tif 000035
【図３４】
2006012187.tif 000036
【図３５】
2006012187.tif 000037
【図３６】
2006012187.tif 000038
【図３７】
2006012187.tif 000039
【図３８】
2006012187.tif 000040